(57)【要約】【課題】光ファイバシートから延びる光ファイバ心線に含まれる光ファイバに小さい曲率半径の曲げが加わるのを抑制する。【解決手段】光ファイバシート実装構造１０は、光ファイバ心線３０が、シート基板１３に沿って延びてシート基板１３から引き出された後、側面視において被接続部材１１側に弓形に湾曲して被接続部材１１の被接続部１１１に向かって延びるように、シート基板１３を被接続部材１１側に押圧するシート押圧部材１４を備える。【選択図】図１
2015108757.tif 000002
【特許請求の範囲】
【請求項１】
シート基板と、前記シート基板上に配線されると共に前記シート基板から引き出された光ファイバ心線と、を有する光ファイバシートと、
前記光ファイバシートの前記シート基板に対向するように設けられた被接続部を有する被接続部材と、
を備え、前記光ファイバシートの前記シート基板から引き出された前記光ファイバ心線が前記被接続部材の前記被接続部に接続された光ファイバシート実装構造であって、
前記光ファイバ心線が、前記シート基板に沿って延びて前記シート基板から引き出された後、側面視において前記被接続部材側に弓形に湾曲して前記被接続部材の前記被接続部に向かって延びるように、前記シート基板を前記被接続部材側に押圧するシート押圧部材を更に備えた光ファイバシート実装構造。
【請求項２】
請求項１に記載された光ファイバシート実装構造において、
前記光ファイバシートの前記光ファイバ心線は、複数が集められて光テープ心線として前記シート基板から引き出されている光ファイバシート実装構造。
【請求項３】
請求項１又は２に記載された光ファイバシート実装構造において、
前記光ファイバ心線の側面視における前記被接続部材側への弓形の湾曲は、前記シート押圧部材と前記被接続部材との間隔により、最小曲率半径が制御されている光ファイバシート実装構造。
【請求項４】
請求項３に記載された光ファイバシート実装構造において、
前記光ファイバ心線の側面視における前記被接続部材側への弓形の湾曲の最小曲率半径が５ｍｍ以上である光ファイバシート実装構造。
【発明の詳細な説明】
【技術分野】
【０００１】
本発明は、光ファイバシート実装構造に関する。
【背景技術】
【０００２】
近年の情報処理装置では、並行に配設された複数の配線基板間において大容量のデータ転送を行うことから、従来の電気信号に代わって、光信号を用いてデータ転送を行うようになってきている。そして、そのため配線基板間の接続に、シート基板上に光ファイバ心線が配線された光ファイバシートが採用されている。
【０００３】
また、特許文献1には、光ファイバシートの樹脂シートから複数本の光ファイバ心線を引き出すと共に、それらを一体化して帯状のテープ心線とし、その先端に複数の光ファイバの接続を一括で行うことができる光コネクタを取り付けた構造が開示されている。
【先行技術文献】
【特許文献】
【０００４】
【特許文献１】特開２００２−３０３７４０号公報
【非特許文献】
【０００５】
【非特許文献１】ＪＰＣＡ規格ＪＰＣＡ−ＰＥ０３−０１−１０Ｓ
【発明の概要】
【発明が解決しようとする課題】
【０００６】
情報処理装置に並行に配設された複数の配線基板間を光ファイバシートによって接続した構造では、光ファイバシートのシート基板が複数の配線基板の側辺部に対向するように設けられ、そして、シート基板から引き出されたテープ心線の先端に取り付けられたシート側光コネクタが、配線基板に設けられた基板側光コネクタに接続される。このとき、テープ心線は曲げられて配索されるが、テープ心線を構成する光ファイバ心線に含まれる光ファイバが許容曲率半径よりも小さい曲率半径で曲げられると、光ファイバの曲げ損失が非常に大きくなる。特に、テープ心線におけるシート側光コネクタへの取付端部では、接着剤により固定されて自由度が低いため、光ファイバに小さい曲率半径の曲げが加わり易い。
【０００７】
本発明の課題は、光ファイバシートから延びる光ファイバ心線に含まれる光ファイバに小さい曲率半径の曲げが加わるのを抑制することである。
【課題を解決するための手段】
【０００８】
本発明は、シート基板と、前記シート基板上に配線されると共に前記シート基板から引き出された光ファイバ心線と、を有する光ファイバシートと、
前記光ファイバシートの前記シート基板に対向するように設けられた被接続部を有する被接続部材と、を備え、前記光ファイバシートの前記シート基板から引き出された前記光ファイバ心線が前記被接続部材の前記被接続部に接続された光ファイバシート実装構造であって、
前記光ファイバ心線が、前記シート基板に沿って延びて前記シート基板から引き出された後、側面視において前記被接続部材側に弓形に湾曲して前記被接続部材の前記被接続部に向かって延びるように、前記シート基板を前記被接続部材側に押圧するシート押圧部材を更に備える。
【発明の効果】
【０００９】
本発明によれば、シート押圧部材によってシート基板が被接続部材側に押圧され、それによって光ファイバ心線が、シート基板に沿って延びてシート基板から引き出された後、側面視において被接続部材側に弓形に湾曲して被接続部材の被接続部に向かって延びることとなるので、光ファイバシートから延びる光ファイバ心線に含まれる光ファイバに小さい曲率半径の曲げが加わるのを抑制することができる。
【図面の簡単な説明】
【００１０】
【図１】光ファイバシート実装構造の平面図である。
【図２】光ファイバシート実装構造の左側面図である。
【図３】図１におけるIII-III断面の正面図である。
【図４】図１におけるIV-IV断面の正面図である。
【図５】図１におけるV-V断面の正面図である。
【図６】図１におけるVI-VI断面の正面図である。
【図７】光ファイバシートの平面図である。
【図８】光ファイバシートの一部分の断面図である。
【図９】光ファイバ心線の斜視図である。
【図１０】テープ心線の断面図である。
【図１１】光ファイバシートの変形例の一部分の断面図である。
【発明を実施するための形態】
【００１１】
以下、実施形態について図面に基づいて詳細に説明する。
【００１２】
図１〜６は、実施形態に係る光ファイバシート実装構造１０の一例を示す。この実施形態に係る光ファイバシート実装構造１０は、各種の情報処理装置内において構成されるものである。
【００１３】
実施形態に係る光ファイバシート実装構造１０は、５枚の配線基板１１と背面側基板部１２と光ファイバシート１３とシート押圧部材１４とを備える。
【００１４】
５枚の配線基板１１は、間隔をおいて並行に配設されている。配線基板１１のそれぞれには、光部品や電気部品が実装され、且つそれらが光接続又は電気接続されている。また、配線基板１１のそれぞれの対応する同一の基板側辺部には基板側光コネクタ１１１が設けられている。基板側光コネクタ１１１は、例えば非特許文献１に記載されたものである。なお、以下、図１に示す５枚の配線基板１１を左側から順に第１〜第５の配線基板１１と称する。
【００１５】
背面側基板部１２は、５枚の配線基板１１と垂直になるように設けられていると共に、配線基板１１のそれぞれにおける基板側光コネクタ１１１が設けられた基板側辺部が取り付けられている。従って、５枚の配線基板１１と背面側基板部１２とによりブックシェルフ型の構造が構成されている。また、背面側基板部１２は、配線基板１１のそれぞれの基板側光コネクタ１１１が背面側に露出するように形成されている。
【００１６】
図７及び８は光ファイバシート１３を示す。
【００１７】
光ファイバシート１３は、シート基板１３１と、その上に配線された複数の光ファイバ心線２０と、シート基板１３１との間で光ファイバ心線２０を挟持保持して保護する保護シート１３２とを有する。なお、複数の光ファイバ心線２０は、本数が例えば２本以上１９２本以下であり、シート基板１３１上において、複数の光ファイバ心線２０は、一の端末から他の端末へ分配、配列変換されるように配線されている。
【００１８】
シート基板１３１は、樹脂シート１３１ａの表面に接着層１３１ｂを設けたもので構成されている。樹脂シート１３１ａを形成する樹脂材料としては、例えば、ポリイミド樹脂、ポリエチレンテレフタレート樹脂、ポリエチレンナフタレート樹脂等が挙げられる。接着層１３１ｂを形成する接着剤としては、例えばシリコーン系接着剤、アクリル系接着剤等が挙げられる。シート基板１３１の厚さは例えば１２〜１６００μｍである。
【００１９】
図９は光ファイバ心線２０を示す。
【００２０】
光ファイバ心線２０は、光ファイバ２１とそれを被覆する被覆層２２とを有する。光ファイバ心線２０の外径は例えば８０〜２５０μｍである。光ファイバ２１は、例えば、石英やアクリル樹脂等で形成されている。光ファイバ２１は、ファイバ中心のコア２１ａとそれを被覆するクラッド２１ｂとを有する。光ファイバ２１の外径は例えば６０〜１２５μｍであり、コア２１ａの直径は例えば６〜２４０μｍである。１本の光ファイバ２１が有するコア２１ａの数は１個に限定されず複数個あってもよい。被覆層２２は、例えば、紫外線硬化型樹脂等で形成されている。被覆層２２の厚さは例えば１０〜６２．５μｍである。
【００２１】
保護シート１３２としては、例えば、ポリイミド樹脂、ポリエチレンテレフタレート樹脂、ポリエチレンナフタレート樹脂等のシート材が挙げられる。
【００２２】
光ファイバシート１３は、正面視において、シート基板１３１の右側の長辺部から、各々、並列に設けられた複数の光ファイバ心線２０によって構成された一対の第１のテープ心線３０が右向きに延びるように引き出されている。シート基板１３１の右側の中間部から、並列に設けられた複数の光ファイバ心線２０によって構成された第２のテープ心線３０が右向きに延びるように引き出されている。シート基板１３１の左側の中間部から、並列に設けられた複数の光ファイバ心線２０によって構成された第３のテープ心線３０が右向きに延びるように引き出されている。シート基板１３１の左側の中間部から、各々、並列に設けられた複数の光ファイバ心線２０によって構成された４本の第４のテープ心線３０が左向きに延びるように引き出されている。シート基板１３１の左側の長辺部から、並列に設けられた複数の光ファイバ心線２０によって構成された第５のテープ心線３０が左側に延びるように引き出されている。
【００２３】
図１０はテープ心線３０を示す。
【００２４】
テープ心線３０は、並列に設けられた４本の光ファイバ心線２０によって構成されており、それらが紫外線硬化樹脂等のオーバーコート層３１よって一体化され、低弾性を有する板バネ状に構成されている。テープ心線３０の幅は例えば０．1〜３ｍｍであり、厚さは例えば０．０５〜０．２７ｍｍである。そして、テープ心線３０の先端部には、それぞれ接着剤によってシート側光コネクタ１３３が取付固定されている。シート側光コネクタ１３３は、例えば非特許文献１に記載されたものである。
【００２５】
光ファイバシート１３は、背面側基板部１２の背面側に、シート基板１３１が背面側基板部１２と間隔をおいて対向するように配されている。また、シート基板１３１の右側の長辺部から引き出された一対の第１のテープ心線３０のそれぞれの先端部に取付固定されたシート側光コネクタ１３３が、図２に示すように、第１の配線基板１１に設けられた基板側光コネクタ１１１に接続されている。シート基板１３１の右側の中間部から引き出された第２のテープ心線３０の先端部に取付固定されたシート側光コネクタ１３３が、図３に示すように、第２の配線基板１１に設けられた基板側光コネクタ１１１に接続されている。シート基板１３１の左側の中間部から引き出された第３のテープ心線３０の先端部に取付固定されたシート側光コネクタ１３３が、図４に示すように、第３の配線基板１１に設けられた基板側光コネクタ１１１に接続されている。シート基板１３１の左側の中間部から引き出された４本のテープ心線３０の先端部に取付固定されたシート側光コネクタ１３３が、図５に示すように、第４の配線基板１１に設けられた基板側光コネクタ１１１に接続されている。シート基板１３１の左側の長辺部から引き出された第５のテープ心線３０の先端部に取付固定されたシート側光コネクタ１３３が、図６に示すように、第５の配線基板１１に設けられた基板側光コネクタ１１１に接続されている。従って、配線基板１１が被接続部材に、また、基板側光コネクタ１１１が、光ファイバシート１３のシート基板１３１に対向するように設けられた被接続部にそれぞれ相当する。
【００２６】
シート押圧部材１４は、背面側基板部１２とほぼ同一の形状の横長の長方形に形成された板材で構成されており、光ファイバシート１３の背面側に、背面側基板部１２と平行となるように設けられている。シート押圧部材１４と背面側基板部１２との間には、それらの四隅において、柱状スペーサ１４１が設けられており、それらの間の間隔が保持されている。シート押圧部材１４と背面側基板部１２との間隔は例えば１５〜１００ｍｍである。
【００２７】
シート押圧部材１４は、背面側基板部１２との対向面に、光ファイバシート１３のシート基板１３１の全面に当接して配線基板１１及び背面側基板部１２側に押圧しており、それによって光ファイバ心線２０が、シート基板１３１に沿って延びてシート基板１３１からテープ心線３０として引き出された後、側面視において配線基板１１側に弓形に湾曲して配線基板１１の基板側光コネクタ１１１に向かって延びている。シート押圧部材１４と背面側基板部１２との間隔は、テープ心線３０の光ファイバ心線２０の側面視における配線基板１１側への弓形の湾曲の最小曲率半径が５ｍｍ以上となるように設定することが好ましい。つまり、光ファイバ心線２０の側面視における背面側基板部１２側への弓形の湾曲は、シート押圧部材１４と背面側基板部１２との間隔により、最小曲率半径が制御されている。なお、シート基板１３１は、シート押圧部材１４に接着されていても、また、シート押圧部材１４に非接着であっても、どちらでもよい。また、シート押圧部材１４と背面側基板部１２との間隔は、使用する光ファイバによって、最小曲げ半径に依存するため、特に本実施例に限定されるものではない。
【００２８】
以上の構成の実施形態に係る光ファイバシート実装構造１０によれば、シート押圧部材１４によってシート基板１３１が配線基板１１側に押圧され、それによって光ファイバ心線２０が、シート基板１３１に沿って延びてシート基板１３１からテープ心線３０として引き出された後、側面視において配線基板１１に弓形に湾曲して配線基板１１の基板側光コネクタ１１１に向かって延びることとなるので、光ファイバシート１３から延びるテープ心線３０の光ファイバ心線２０に含まれる光ファイバ２１に、座屈や折れ曲がりにより小さい曲率半径の曲げが加わるのを抑制することができる。また、シート押圧部材１４が柱状スペーサ１４１を介して背面側基板部１２に固定され、そのためシート押圧部材１４によって光ファイバシート１３が保護されるので、シート基板１３１に外部から力が作用してシート基板１３１から引き出されたテープ心線３０に変形が加わるのを防止することができる。
【００２９】
なお、上記実施形態では、配線基板１１の枚数を５枚としたが、特にこれに限定されるものではなく、５枚の場合を含め例えば２〜１２枚である。また、シート基板１３１から引き出されたテープ心線３０の数を９本としたが、特にこれに限定されるものではなく、９本の場合を含め例えば２〜３２本である。さらに、テープ心線３０を構成する光ファイバ心線２０の本数を４本としたが、特にこれに限定されるものではなく、４本の場合を含め例えば１〜１６本である。
【００３０】
上記実施形態では、シート基板１１との間で光ファイバ心線２０を挟持保持して保護する保護シート１３２を設けた構成としたが、特にこれに限定されるものではなく、図１１に示すように
、光ファイバ心線２０が露出した構成としてもよい。
【００３１】
上記実施形態では、単一層の光ファイバシート１３としたが、特にこれに限定されるものではなく、複数層の光ファイバシートであってもよい。
【００３２】
上記実施形態では、シート押圧部材１４が光ファイバシート１３のシート基板１３１の全面に当接した構成としたが、特にこれに限定されるものではなく、側面視においてシート基板が背面側に凸となるように湾曲し、シート押圧部材がシート基板の一部に線接触或いは面接触した構成であってもよい。
【産業上の利用可能性】
【００３３】
本発明は、光ファイバシート実装構造について有用である。
【符号の説明】
【００３４】
１０  光ファイバシート実装構造
１１  配線基板（被接続部材）
１１１  基板側光コネクタ（被接続部）
１２  背面側基板部
１３  光ファイバシート
１３１  シート基板
１３１ａ  樹脂シート
１３１ｂ  接着層
１３２  保護シート
１３３  シート側光コネクタ
１４  シート押圧部材
１４１  柱状スペーサ
２０  光ファイバ心線
２１  光ファイバ
２１ａ  コア
２１ｂ  クラッド
２２  被覆層
３０  テープ心線
３１  オーバーコート層
【図１】
2015108757.tif 000003
【図２】
2015108757.tif 000004
【図３】
2015108757.tif 000005
【図４】
2015108757.tif 000006
【図５】
2015108757.tif 000007
【図６】
2015108757.tif 000008
【図７】
2015108757.tif 000009
【図８】
2015108757.tif 000010
【図９】
2015108757.tif 000011
【図１０】
2015108757.tif 000012
【図１１】
2015108757.tif 000013